【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
送信装置が送信した一定周期の同期信号を受信する受信手段と、
前記受信手段により受信された同期信号の周期を計測する周期情報解析手段と、
前記周期情報解析手段の計測結果である周期情報に基づいて、前記同期信号と同一の信号であるタイミング信号を生成するタイミング信号生成手段と、
前記受信手段への電源供給をオンまたはオフする電源供給選択手段と、
前記周期情報解析手段が前記同期信号の周期を計測する計測期間は前記電源供給選択手段をオンさせ、前記計測期間以外の期間は前記電源供給選択手段をオフさせる制御を行う制御手段と
を備える受信装置。
【請求項２】
前記周期情報解析手段は、前記同期信号の周期を、所定の周期数の前記同期信号の周期の平均値として算出する
請求項１に記載の受信装置。
【請求項３】
前記所定の周期数は、２の累乗の周期数である
請求項２に記載の受信装置。
【請求項４】
前記周期情報解析手段は、前記所定の周期数となるまで周期数をカウントして前記同期信号の周期の平均値を算出し、周期数が前記所定の周期数となるまでカウントする途中で１周期のみの瞬断が発生した場合には、瞬断がないものとして周期数をインクリメントする
請求項２または３に記載の受信装置。
【請求項５】
整数部分と小数部分とからなる周期情報であるプリセット周期情報を、複数の周期について予め記憶し、記憶している複数の前記プリセット周期情報のうち、前記周期情報解析手段の計測結果に最も近いプリセット周期情報を選択する選択手段をさらに備え、
前記タイミング信号生成手段は、選択された前記プリセット周期情報を用いて、前記同期信号と同一の信号であるタイミング信号を生成する
請求項１乃至４のいずれかに記載の受信装置。
【請求項６】
前記周期情報解析手段の計測結果、または、前記選択手段により選択された前記プリセット周期情報を、整数値に変換した補正整数周期を算出する周期情報変換手段をさらに備え、
前記タイミング信号生成手段は、前記補正整数周期に基づいて、前記同期信号と同一の信号であるタイミング信号を生成する
請求項５に記載の受信装置。
【請求項７】
前記周期情報変換手段により算出される前記補正整数周期は、整数部分と小数部分とからなる周期情報のうちの前記整数部分そのものの値か、または、前記整数部分に１を加えた値である
請求項６に記載の受信装置。
【請求項８】
受信すべき同期信号の周期とパルス幅に基づいて、前記受信手段により受信された同期信号が正常であるかを判別する判別手段をさらに備える
請求項１乃至７のいずれかに記載の受信装置。
【請求項９】
前記タイミング信号生成手段は、前記同期信号と前記タイミング信号の位相を同期させる位相引き込み処理も行う
請求項１乃至８のいずれかに記載の受信装置。
【請求項１０】
３次元立体映像を知覚させるための左眼用映像と右眼用映像の切り替え信号としての同期信号を送信装置から受信する受信手段と、
前記受信手段により受信された同期信号の周期を計測する周期情報解析手段と、
前記周期情報解析手段の計測結果である周期情報に基づいて、前記同期信号と同一の信号であるタイミング信号を生成するタイミング信号生成手段と、
前記受信手段への電源供給をオンまたはオフする電源供給選択手段と、
前記周期情報解析手段が前記同期信号の周期を計測する計測期間は前記電源供給選択手段をオンさせ、前記計測期間以外の期間は前記電源供給選択手段をオフさせる制御を行う制御手段と、
前記タイミング信号生成手段により生成されたタイミング信号に基づいて、右眼用シャッタおよび左眼用シャッタを駆動する駆動手段と
を備えるシャッタメガネ。
【請求項１１】
前記受信手段は、赤外線または電波により、前記同期信号を前記送信装置から受信する
請求項１０に記載のシャッタメガネ。
【請求項１２】
前記送信装置と電気的に接続可能な接続手段をさらに備え、
前記受信手段は、最初の前記計測期間は前記接続手段を介して前記同期信号を受信する
請求項１０または１１に記載のシャッタメガネ。
【請求項１３】
ユーザが前記同期信号の周期の計測開始を指示するための操作手段をさらに備え、
前記周期情報解析手段は、前記操作手段がユーザによって操作されたとき、前記同期信号の周期の計測を開始する
請求項１０乃至１２のいずれかに記載のシャッタメガネ。
【請求項１４】
前記シャッタメガネの傾きを検出する検出手段をさらに備え、
前記周期情報解析手段は、前記シャッタメガネが所定以上の傾きとなったとき、前記同期信号の周期の計測を開始する
請求項１０乃至１３のいずれかに記載のシャッタメガネ。
【請求項１５】
一定周期の同期信号を送信する送信手段
を備える送信装置と、
前記送信装置が送信した前記同期信号を受信する受信手段と、
前記受信手段により受信された同期信号の周期を計測する周期情報解析手段と、
前記周期情報解析手段の計測結果である周期情報に基づいて、前記同期信号と同一の信号であるタイミング信号を生成するタイミング信号生成手段と、
前記受信手段への電源供給をオンまたはオフする電源供給選択手段と、
前記周期情報解析手段が前記同期信号の周期を計測する計測期間は前記電源供給選択手段をオンさせ、前記計測期間以外の期間は前記電源供給選択手段をオフさせる制御を行う制御手段と
を備える受信装置と
からなる送受信システム。
【手続補正２】
【補正対象書類名】明細書
【補正対象項目名】００２５
【補正方法】変更
【補正の内容】
【００２５】
【図１】シャッタメガネを用いる方式の３次元立体映像の視聴原理を示した図である。
【図２】赤外発光ダイオードの放射特性を示す図である。
【図３】ユーザの視聴範囲をカバーするための複数の赤外発光ダイオードの配置を示す図である。
【図４】３次元立体映像を視聴する場合のユーザの適切な視聴範囲を示す図である。
【図５】本発明を適用した３次元立体映像視聴システムの第１の実施の形態の構成例を示す図である。
【図６】送信装置から送信される同期信号を示す図である。
【図７】左右映像表示と同期信号の関係を示す図である。
【図８】図５のシャッタメガネの構成例を示すブロック図である。
【図９】判別部の動作について説明する図である。
【図１０】判別部の動作について説明する図である。
【図１１】周期数のカウントについて説明する図である。
【図１２】周期数のカウントについて説明する図である。
【図１３】周期数のカウントについて説明する図である。
【図１４】周期情報の算出について説明する図である。
【図１５】周期情報の算出について説明する図である。
【図１６】周期情報保持部の動作について説明する図である。
【図１７】周期情報保持部の動作について説明する図である。
【図１８】周期情報保持部の動作について説明する図である。
【図１９】自走カウンタ部の動作について説明する図である。
【図２０】自走カウンタ部の動作について説明する図である。
【図２１】自走カウンタ部の動作について説明する図である。
【図２２】シャッタ駆動部とシャッタ部の動作について説明する図である。
【図２３】水晶発振器の温度特性の一例を示す図である。
【図２４】同期信号と生成されたタイミング信号を示す図である。
【図２５】タイミング信号生成処理を説明するフローチャートである。
【図２６】その他のタイミング信号生成処理を説明するフローチャートである。
【図２７】周期情報保持部のその他の構成例を示す図である。
【図２８】図２７の周期情報保持部が記憶するプリセット周期情報を示す図である。
【図２９】本発明を適用した３次元立体映像視聴システムの第２の実施の形態を示す図である。
【図３０】本発明を適用した３次元立体映像視聴システムの第３の実施の形態を示す図である。
【図３１】本発明を適用した３次元立体映像視聴システムの第４の実施の形態を示す図である。
【手続補正３】
【補正対象書類名】明細書
【補正対象項目名】００５８
【補正方法】変更
【補正の内容】
【００５８】
シャッタ部３６は、右眼用シャッタ３７Rと左眼用シャッタ３７Lを有する。右眼用シャッタ３７Rおよび左眼用シャッタ３７Lのそれぞれは、２極の端子を備える液晶デバイスで構成され、１０乃至２０V程度の印加電圧により動作する。本実施の形態では、右眼用シャッタ３７Rと左眼用シャッタ３７Lそれぞれは、シャッタ駆動部３５により、電位差０Vが印加された場合にオープンし、電位差±１５Vが印加された場合にクローズする。
【手続補正４】
【補正対象書類名】明細書
【補正対象項目名】００５９
【補正方法】変更
【補正の内容】
【００５９】
以上のように構成されるシャッタメガネ２３においては、受信した同期信号に基づいて周期情報とパルス幅情報が生成される。そして、生成された周期情報とパルス幅情報に基づいてタイミング信号が生成され、生成されたタイミング信号に基づいて、シャッタ部３６の右眼用シャッタ３７Rと左眼用シャッタ３７Lのオープンおよびクローズが制御される。即ち、シャッタメガネ２３は、受信した同期信号を基に、それと同一のタイミング信号を再生し、再生されたタイミング信号に基づいてシャッタ動作を行う。そして、シャッタメガネ２３は、自らが生成するタイミング信号に基づいてシャッタ動作を行っている間は受信部３１への電源供給を遮断する。これにより、低消費電力化を実現し、例えば、バッテリ電源による駆動時間を長くすることができる。
【手続補正５】
【補正対象書類名】明細書
【補正対象項目名】００８１
【補正方法】変更
【補正の内容】
【００８１】
周期情報解析部４３は、カウントしたレジスタの値を７ビットシフトすることにより、１２８周期分の平均値を求める。即ち、２２ビットのレジスタのうち、上位１５ビットが整数部分、下位７ビットが小数部分に割り当てられる。周期数の「１２８」は２の累乗であるので、ロジック回路であれば７ビットシフトすることにより簡単に平均値を算出することができる。逆に言えば、平均値を簡単に算出するため、積算する周期数を２の累乗の「１２８」としている。
【手続補正６】
【補正対象書類名】明細書
【補正対象項目名】００８９
【補正方法】変更
【補正の内容】
【００８９】
そして、周期情報解析部４３は、カウントしたレジスタの値を２ビットシフトすることにより、パルス幅の４周期分の平均値を求める。即ち、周期数の「４」は２の累乗であるので、周期における場合と同様に、２ビットシフトすることにより簡単にパルス幅の平均値を算出することができる。１４ビットのレジスタのうち、上位１２ビットが整数部分、下位２ビットが小数部分となる。周期情報解析部４３は、上位１２ビットの整数部分のみをパルス幅情報として自走カウンタ部４５に供給する。
【手続補正７】
【補正対象書類名】明細書
【補正対象項目名】００９８
【補正方法】変更
【補正の内容】
【００９８】
また、周期情報保持部４４は、周期情報解析部４３から供給された周期情報の小数部分（以下、適宜、元の小数部分という）を、そのまま１回目の小数部分として保持する。なお、図１６乃至図１８において、レジスタ５１1乃至５１22内の右上にカッコで数字が付された値ａ乃至ｖは、カッコ内の数字が示す回数の補正整数周期引渡し終了後の値を表す。
【手続補正８】
【補正対象書類名】明細書
【補正対象項目名】０１０５
【補正方法】変更
【補正の内容】
【０１０５】
小数部分は１２８回加算されるが、小数部分は元々１２８で除算（７ビットシフト）されたものであるため、１２８回加算後の小数部分のレジスタ５１16乃至５１22の値ｐ乃至ｖは、「０００００００」となる。
【手続補正９】
【補正対象書類名】明細書
【補正対象項目名】０１２２
【補正方法】変更
【補正の内容】
【０１２２】
図２２に示されるように、右眼用タイミング信号と、それに対して位相が１８０度ずれた左眼用タイミング信号が、自走カウンタ部４５からシャッタ駆動部３５に供給される。ここで、右眼用タイミング信号と左眼用タイミング信号は、LVTTLレベルの信号である。
【手続補正１０】
【補正対象書類名】明細書
【補正対象項目名】０１６４
【補正方法】変更
【補正の内容】
【０１６４】
ステップＳ１１において、周期情報保持部４４および自走カウンタ部４５は、タイミング信号の生成を開始する。即ち、周期情報保持部４４は、周期情報解析部４３から供給される周期情報の整数部分を、小数部分の誤差を最小限に抑えるような整数値に変換した補正整数周期に変換し、自走カウンタ部４５に供給する。自走カウンタ部４５は、周期情報保持部４４から供給される補正整数周期と、周期情報解析部４３からパルス幅情報として供給されるパルス幅に基づいてタイミング信号を生成する。タイミング信号としては、右眼用シャッタ３７Rのための右眼用タイミング信号と、それとは位相が１８０度ずれた左眼用シャッタ３７Lのための左眼用タイミング信号の２つが生成される。
【手続補正１１】
【補正対象書類名】明細書
【補正対象項目名】０１６５
【補正方法】変更
【補正の内容】
【０１６５】
ステップＳ１２において、制御部４２は、タイマ４２ａのカウント値に基づいて自走期間が満了したかを判定する。制御部４２は、自走期間が満了したと判定されるまで、ステップＳ１２の処理を繰り返す。この間、ステップＳ１１で開始されたタイミング信号の生成は継続して実行されている。
【手続補正１２】
【補正対象書類名】明細書
【補正対象項目名】０１７７
【補正方法】変更
【補正の内容】
【０１７７】
図２６のタイミング信号生成処理によれば、上述したように、１２８周期目以降の電源オン時間の割合を０．３９％と低減させることができ、低消費電力化にさらに貢献することができる。
【手続補正１３】
【補正対象書類名】明細書
【補正対象項目名】０２２１
【補正方法】変更
【補正の内容】
【０２２１】
図３１の３次元立体映像視聴システム１５１によれば、３次元立体映像データに基づいて左眼用映像と右眼用映像を表示する機能および同期信号出力機能を有さない従来のテレビジョン受像機を、テレビジョン受像機２１として採用することができる。